(57)【要約】【課題】本発明の課題は、ゴルフクラブセット梱包箱にあって、箱体の寸法をコンパクトにするとともに、箱体を構成する部材の部品点数を少なくして、組み立て易く、廉価で、搬送コストの低減を図った梱包箱を提供することにある。【解決手段】課題を解決するため、本発明は、収納するゴルフクラブを上下二段に分けるとともに、上段に収容するクラブと下段に収容するクラブのヘッド部分を互いに箱体の左右両端部に振り分けるとともに、上下のクラブの間に箱本体とは切り離された別部材の中仕切体を挿入した。【選択図】　　　　　　図２
2004026185.tif 000002
【特許請求の範囲】
【請求項１】
ゴルフクラブが上下二段に収容可能な細長い箱体であって、箱本体２と、蓋体３と、該箱本体の一端側と他端側に夫々収容される、ヘッド仕切体Ａ及びヘッド仕切体Ｂと、上下二段に分けて収容されるゴルフクラブの間に挿入する中仕切体４と、上段に収容されるゴルフクラブのシャフト部分を支持する支持体５とからなり、下段に収容されるゴルフクラブのヘッド部分が箱本体の一端側に収容されるヘッド仕切体Ａにより固定され、上段に収容されるゴルフクラブのヘッド部分が箱本体の他端側に収容されるヘッド仕切体Ｂにより固定されるように配され、中仕切体は箱本体とは切り離された別部材からなる事を特徴とするゴルフクラブセット梱包箱。
【発明の詳細な説明】
【０００１】
【発明の属する技術分野】
この発明は、ゴルフクラブセット梱包箱に関し、特に、ゴルフクラブを収容するスペースをコンパクトにすることにより、搬送費用を低減したゴルフクラブセットを収容する梱包箱に関する。
【０００２】
【従来の技術】
従来ゴルフクラブのセット箱と称される輸送用と展示用を兼ねた箱は、ゴルフクラブを一列に並べて展示できるように、比較的横長で扁平な寸法の箱が多く使用されていた。また、輸送専用の箱としては、筒状で筒の両端部の折り畳み部分を開くことにより開放され、該開放部からゴルフクラブを出し入れするタイプの箱も用いられていた。また、実案第３０４５７５６号には、箱本体の上段と下段にアイアンクラブを振り分けて収容し、支持体を用いてクラブの保持を図るセット箱が公開されている。
【０００３】
【従来の技術の課題】
これら従来のゴルフクラブ用セット箱はいくつかの問題点が指摘される。輸送用と展示用を兼ねたセット箱は、箱が扁平であるとともに、箱自体が比較的大きくなり、従って搬送に係る費用が高くなる問題があった。また、展示に供するため、箱内外の表装に工夫を凝らすため、箱単価が高くなる傾向もあった。また、ゴルフヘッドを箱の一端側に一列に収容するため、箱の一方に重心が片寄り、箱を持ち上げた場合にバランスが悪く持ちにくいという問題もあった。
【０００４】
輸送専用の筒状箱の場合は、筒の両端部の狭い開放部分から、収容するゴルフクラブを出し入れするため、出し入れが困難で、しかも収容されたクラブの本数や、内容を確認するには、収容したゴルフクラブを取り出さないと確認できないという問題点が指摘される。
また、上記の筒状箱の場合は、収容するゴルフクラブの固定が困難で、ゴルフクラブ同士のぶつかり合いによる傷付きを防止するためには、ゴルフクラブをビニールで包んで保護してから収容するという手間が掛かった。更に、箱から取り出してから、ビニール袋を除去する手間も掛かった。
【０００５】
実案３０４５７５６号の場合は、上記の問題は解決しているものの、部品点数が多く箱の組立に手間がかかり、且つ箱単価が高いという問題とともに、アイアンクラブを収容する際に、下段に収容したクラブのグリップ部分に支持体を置いて、上段のクラブを保持する構造になっていて、支持体が不安定であるとともに、収容に手間がかかるという問題がある。
【０００６】
【課題を解決するための手段】
上記のような課題を解決するため、ゴルフクラブが上下二段に収容可能な細長い箱体であって、箱本体２と、蓋体３と、該箱本体の一端側と他端側に夫々収容される、ヘッド仕切体Ａ及びヘッド仕切体Ｂと、上下二段に分けて収容されるゴルフクラブの間に挿入する中仕切体４と、上段に収容されるゴルフクラブのシャフト部分を支持する支持体５とからなり、下段に収容されるゴルフクラブのヘッド部分が、箱本体の一端側に収容されるヘッド仕切体Ａにより固定され、上段に収容されるゴルフクラブのヘッド部分が、箱本体の他端側に収容されるヘッド仕切体Ｂにより固定されるように配され、中仕切体は箱本体とは切り離された別部材からなる事を特徴とするゴルフクラブセットの梱包箱である。
【０００７】
【発明の実施の形態】
以下、本願発明を実施例により具体的に説明する。図１は、アイアンクラブを箱本体２の下段に収容した状態のゴルフクラブセットの梱包箱１の平面図である。クラブのヘッド６は箱本体の一端側に配されたヘッド仕切体Ａにより固定されている。箱本体の他端部にはヘッド仕切体Ｂが配される。
更に、図２は、例えば上段に５本のアイアンクラブを収容した状態を示している。本図にあっては、下段に収容したクラブの上に中仕切体４が、上段のクラブとの間に装着されているのがわかる。上段のクラブのヘッド部分は、箱本体の他端側に配されたヘッド仕切体Ｂにより固定され、シャフト部分は支持体５に挟まれて固定される。
【０００８】
上記の通り、箱本体２、蓋体３、ヘッド仕切体Ａ、ヘッド仕切体Ｂ、中仕切体４及び支持体５の６部品からなり、部品点数が少なく、従って、箱の組立も容易で、箱体自体の価格も廉価に提供が出来る。
【０００９】
上段と下段に収容されたゴルフクラブの中間に挿入された中仕切体４は、箱本体２とは切り離された別部材からなり、下段に収容されたゴルフクラブが上に飛び出るのを防止するとともに、上段と下段のゴルフクラブ同士がぶつかり合って傷付くのを防止するように設けられている。
【００１０】
箱本体２と切り離された別部材の中仕切体４は、箱本体と別に組立てた後、ゴルフクラブを収容する際に挿入するが、箱本体と一体にした場合に比較し、組立が容易で、箱本体の組立前のシート状の展開寸法も小さく、取扱いが容易で、従って箱価格が廉価に出来る。
【００１１】
上記の中仕切体４の長手方向両端部は折り曲げられてあり、収納されるゴルフクラブのヘッド部分を押さえて、クラブが移動するのを防止し、また、該中仕切体の横手方向両端部は、折り曲げられてあり、箱本体２の下段クラブを収容した後に、上段のクラブを収容する前に装着するが、下段のクラブの収納空間を確保するためのものでもある。
【００１２】
図３は、上段と下段にアイアンクラブを振り分けて収容した状態の断面図である。下段のクラブはヘッド８のトウ１１を上にして、更にホーゼル１２を下にして、ヘッド仕切体Ａに挟んで固定し、中仕切体４を挿入後、上段のクラブはヘッド１３のトウ１４を下にして、更にホーゼル１５を上にして、ヘッド仕切体Ｂに挟んで固定している。また、中仕切体４のほぼ中央部に支持体５を載せて、上段のクラブのシャフト７を固定して保持している。
【００１３】
上記の通りクラブを上下二段に分けて収納し、しかも、ヘッド部分を左右に振り分けることにより、箱の重心位置を中央近辺とし、箱を持ち上げた場合の左右のバランスを良くして、箱を持ち上げた場合に持ち易くするとともに、箱を積み上げた場合にも重量が偏らず、積み上げ易い。
また、クラブを上下二段に分けて収納し、しかも、下段のクラブと上段のクラブの左右の向きを互い違いに収容したことにより、収納の空間を小さくすることができ、箱体の寸法を小さく、コンパクトな形状とし、取扱いが容易で、搬送し易く、従って搬送コストの低減が可能である。
【００１４】
支持体５は、例えば、一枚の板状材を適宜折り曲げて構成されるとともに、中仕切体４の上のほぼ中央部に置かれ、上段に収容されるアイアンクラブのシャフト部分を挟む形で固定することにより、上段のクラブを等間隔で整然と収容できるようにするとともに、箱本体の潰れを防止する構造体の役目も果たし、箱の搬送の際や箱を倉庫に積み上げる際に、箱が自重や外部圧力により潰れるのを防止するように構成されている。
【００１５】
ヘッド仕切体は、適宜形状の板状材を折り曲げて形成し、ヘッドを挟んで固定するとともに、ヘッドの相互の間に配されて、ヘッド同士が接触するのを防止するように設けられている。
【００１６】
また、アイアンクラブを上段と下段に、例えば５本ずつを収容されるように構成してあるので、箱から取り出す際に、クラブ本数を確認し易く、両手で一度に５本を取りだすことが可能であり、且つ、取りだすクラブの番手が見易くなっている。
【００１７】
上記の箱体に使用する材質は、紙、合成樹脂、または紙と合成樹脂材等との複合材であってもよい。
【００１８】
また、実施例ではアイアンクラブを収容する例を提示したが、ウッドクラブ、パタークラブ、またはそれらを組み合わせたセットであってもよい。
【００１９】
【発明の効果】
上述の通り、本発明によるゴルフクラブセット梱包箱は、ゴルフクラブを上下二段に分けて、且つヘッドを左右に振り分けて収納するので、荷姿がコンパクトで箱の長手方向の重心位置がほぼ中央にあるので、持ち上げたときや積み重ねたときに左右のバランスがよく、取扱いが容易で、搬送し易く、搬送コストが低廉である。
また、部品点数が少なく、従って箱の価格が廉価であるとともに、箱の組立や取扱い作業が容易である。
【図面の簡単な説明】
【図１】本発明のゴルフクラブセット梱包箱の下段にアイアンクラブを収容した状態の平面図
【図２】本発明のゴルフクラブセット梱包箱の下段及び上段にアイアンクラブを収容した状態の平面図
【図３】本発明のゴルフクラブセット梱包箱の下段及び上段にアイアンクラブを収容した状態の断面図
【図４】本発明のゴルフクラブセット梱包箱の分解斜視図
【符号の説明】
１：ゴルフクラブセットの梱包箱
２：箱本体
３：蓋体
４：中仕切体
５：支持体
６：下段に収容したゴルフクラブ
７：上段に収容したゴルフクラブ
８：下段に収容したゴルフクラブのヘッド
９：下段に収容したゴルフクラブのシャフト
１０：下段に収容したゴルフクラブのグリップ
１１：下段に収容したゴルフクラブのヘッドのトウ
１２：下段に収容したゴルフクラブのヘッドのホーゼル
１３：上段に収容したゴルフクラブのヘッド
１４：上段に収容したゴルフクラブのヘッドヘッドのトウ
１５：上段に収容したゴルフクラブのヘッドヘッドのホーゼル
Ａ：　ヘッド仕切体Ａ
Ｂ：　ヘッド仕切体Ｂ
【図１】
2004026185.tif 000003
【図２】
2004026185.tif 000004
【図３】
2004026185.tif 000005
【図４】
2004026185.tif 000006